(57)【要約】      （修正有）【課題】造粒プラントを移動式として山林内において伐採した間伐材を伐採集積場にて造粒加工して原木輸送に要した費用を削減することを目的とした移動式ペレット造粒プラントを提供する。【解決手段】大型輸送車両に伐採された原木を小割する為の小割装置２と、該小割された木材を細断するオガ粉製造装置３と、該オガ粉を乾燥するオガ粉乾燥装置４と発電装置６と、乾燥したオガ粉を定量的に供給する定量供給装置７を有するペレット造粒装置８などを搭載した。【選択図】図１
0003151435.tif 000002
【実用新案登録請求の範囲】
【請求項１】
第1の輸送用車両の荷台に原木の小割装置とオガ粉製造装置とオガ粉乾燥装置を搭載し、第２の輸送用車両に発電装置とペレット造粒装置を搭載してなることを特徴とする移動式ペレット造粒プラント。
【請求項２】
オガ粉乾燥装置を回転式密閉型オガ粉容器内の圧力を減圧することで乾燥する方式のものとしたことを特徴とする請求項１記載の移動式ペレット造粒プラント。
【請求項３】
オガ粉乾燥装置の真空ポンプの排気を回転式密閉型オガ粉容器に吹き付けるごとく構成したことを特徴とする請求項２記載の移動式ペレット造粒プラント。
【考案の詳細な説明】
【技術分野】
【０００１】
本考案は、バイオ燃料のひとつとしての木質ペレット燃料を製造する造粒プラントに関するものであり、従来工場内に固定設置される方式のものであったのに対し、造粒プラントを移動式として山林内において伐採した間伐材を伐採集積場にて造粒加工して原木輸送に要した費用を削減することを目的とした移動式ペレット造粒プラントに関するものである。
【背景技術】
【０００２】
現在、用いられているペレット造粒プラントは工場内に固定設置されているものである為に、山林内で伐採した間伐材を伐採集積場で輸送可能な寸法に切断してトラックなどの輸送車両に積んで工場まで運んで造粒加工を行っている。  
【０００３】
しかし、この方法では中間的な作業の為に種々の副次コストが発生して結果的にペレット燃料のコストアップにつながっており、より能率的な造粒方式が望まれているが、主にキルン型のオガ粉乾燥装置が大型である為にプラント全体が大型となって移動式にまとめることは困難である。  特に太陽熱を利用して乾燥熱量を提言する方式のオガ粉乾燥装置も提案されているが大型のものとなり移動式に適合していない。
【特許文献１】特開２００７−１０６７８１
【特許文献２】特許３８６８４７７
【考案の開示】
【考案が解決しようとする課題】
【０００４】
本考案が解決しようとする課題は、上記目的で使用するペレット造粒プラントにおいて、装置を小型化して輸送車両上に設置して移動可能とすることによって、該ペレット造粒プラントを山中における間伐材の伐採場に移動して、原材料の輸送に関する中間的な作業の為に生ずる種々の副次コストを削減し、現地で木質ペレットに造粒することを可能とするものである。  完成した木質ペレットはコンパクトに梱包された状態で搬出することができる。
【課題を解決するための手段】
【０００５】
本考案は、上記背景の下に成立するものであり、本考案の第１の手段は、２台の大型輸送車両のうちの１台に伐採された原木を小割する為の小割装置と、該小割された木材を細断するオガ粉製造装置と、該オガ粉を乾燥するオガ粉乾燥装置とを搭載し、大型輸送車両の他の１台にプラント全体の動力及び熱源を供給する発電装置と、乾燥したオガ粉を定量的に供給する定量供給装置を有するペレット造粒装置などを搭載したことを特徴とする移動式ペレット造粒プラントを提供するものである。
【０００６】
本考案の第２の手段は、オガ粉乾燥装置として回転式密閉型ペレット容器内の圧力を減圧することで乾燥する方式のものとしたことを特徴とする上記移動式ペレット造粒プラントを提供するものである。
【０００７】
本考案の第３の手段は、オガ粉乾燥装置の真空ポンプの排気を回転式密閉型のオガ粉容器に吹き付けるごとく構成したことを特徴とする移動式ペレット造粒プラントを提供するものである。
【考案の効果】
【０００８】
本考案は、上記手段により、該ペレット造粒プラントを山中における間伐材の伐採場に移動して、原材料のままの輸送に関する中間的な作業の為に生ずる種々の副次コストを削減し、現地で木質ペレットに造粒することを可能とするものである。  完成した木質ペレットはコンパクトに梱包された状態で搬出することができるものである。
【考案を実施するための最良の形態】
【０００９】
本考案の構成は、２台の大型輸送車両のうちの１台に伐採された原木を小割する為の小割装置と、該小割された木材を細断するオガ粉製造装置と、該オガ粉を乾燥するオガ粉乾燥装置とを搭載し、大型輸送車両の他の１台に発電装置と、乾燥したオガ粉を定量的に供給する定量供給装置を有するペレット造粒装置などを搭載したことを特徴とする移動式ペレット造粒プラントである。
【００１０】
また、オガ粉乾燥装置として回転式密閉型オガ粉容器内の圧力を減圧することで乾燥する方式のものとすることが望ましい。
【００１１】
更に、オガ粉乾燥装置の真空ポンプの排気を回転式密閉型のオガ粉容器に吹き付けるごとく構成することが望ましい。
【実施例１】
【００１２】
以下図について本考案の実施形態について説明する。
図１は、本考案の移動式ペレット造粒プラントの一実施形態の構造を示す上面図であり、図２及び図３はその部分側面図である。  本考案に関与しない部分は省略している。
【００１３】
図１、図２及び図３において、第１の輸送車両１には、伐採された原木を小割する為の小割装置２と、該小割された木材を細断するオガ粉製造装置３と、該オガ粉を乾燥するオガ粉乾燥装置４とを搭載し、第２の輸送車両５には発電装置６と、乾燥したオガ粉を定量的に供給する定量供給装置７を有するペレット造粒装置８などを搭載したことを特徴とする移動式ペレット造粒プラントである。
【実施例２】
【００１４】
図４は本考案の一実施形態の構造を示す部分正面図である。
図４において、オガ粉乾燥装置４は図示しないモーターによって回転駆動される回転式密閉型オガ粉容器９内の圧力を真空ポンプ１０によって中空軸１１、回転継手１２を介して減圧することで乾燥する方式のものとすることが望ましい。
【００１５】
更に、図４においてオガ粉乾燥装置４の真空ポンプ１０の排気を排気ダクト１３を介して回転式密閉型オガ粉容器９に吹き付けるごとく構成することが望ましい。
【００１６】
図１、図２及び図３に示す本考案の作用について説明する。
第１の輸送車両１及び第２の輸送車両５に搭載された上記の移動式ペレット造粒プラントは間伐材などの伐採が行われている山中に移動し、伐採された原木を先ず第１の輸送車両に搭載された小割装置２でオガ粉製造装置３が処理するのに適したサイズに切断する。
切断された原木はオガ粉製造装置３によって細断され、オガ粉となった後オガ粉乾燥装置４によって含有する水分を約１０％以下となるよう乾燥される。  
【００１７】
乾燥されたオガ粉は第２の輸送車両５に搭載された定量供給装置７を有するペレット造粒装置８によって圧縮成型されてペレットとなる。  これらの行程で使用する動力及び加熱用電源は第２の輸送車両５に搭載された発電装置６によって供給される。  該発電装置６の動力としては独自にエンジンを有するものでも、第２の輸送車両５のエンジンを使用するものでも良い。
【００１８】
図４において、オガ粉乾燥装置４は回転式密閉型オガ粉容器９内部に乾燥すべきオガ粉を入れ、密閉した状態で内部の圧力を真空ポンプ１０によって中空軸１１、回転継手１２を介して減圧する。  そうするとオガ粉内に含まれた水分の気化温度が低下して低温で蒸発し乾燥が進行する。  従って、加熱によって乾燥させるキルン型の乾燥装置に比べて乾燥に必要な熱エネルギーを大幅に節約することが出来る他、装置の小型化を実現することができる。
【００１９】
この場合、回転式密閉型オガ粉容器９の内部の気圧を下げると断熱膨張によって容器の内部温度が下がり水分の蒸発速度が遅くなるので、これを防止するために回転式密閉型オガ粉容器９の温度を上げることが有効であるが、その熱源としては真空ポンプ１０の排気を利用することが有効である。  真空ポンプ１０の排気を排気ダクト１３を介して回転式密閉型オガ粉容器９に吹き付けるごとく構成することが望ましい。  元々この排気の温度は回転式密閉型オガ粉容器９の内部の熱を奪ったものであり、真空ポンプ１０の機械的作動効率によっては更に熱量が加えられている。  従って、外部から排気を吹き付けることで回転式密閉型オガ粉容器９の内部温度の低下を充分補うことができるものであり、他の熱源を使用することによってペレット造粒に要する熱量の増加を制限することができる。
【００２０】
以上の説明で明らかなごとく本考案の該ペレット造粒プラントは山中における間伐材の伐採場に移動して使用することで、原材料のままの輸送に関する中間的な作業の為に生ずる種々の副次コストを削減し、現地で木質ペレットに造粒することを可能とするものであると共に、木質ペレット造粒に要する熱エネルギーを大幅に削減できるものであり、このことからも地球温暖化防止の効果も大きい。  完成した木質ペレットはコンパクトに梱包されて状態で搬出することができるものである。
【図面の簡単な説明】
【００２１】
【図１】本考案の一実施形態の構造を示す上面図。
【図２】本考案の一実施形態の構造を示す部分側面図。
【図３】本考案の一実施形態の構造を示す部分側面図。
【図４】本考案の一実施形態の構造を示す部分正面図。
【符号の説明】
【００２２】
１：第１の輸送車両
２：小割装置
３：オガ粉製造装置
４：オガ粉乾燥装置
５：第２の輸送車両
６：発電装置
７：定量供給装置
８：ペレット造粒装置
９：回転式密閉型オガ粉容器
１０：真空ポンプ
１１：中空軸
１２：回転継手
１３：排気ダクト
【図１】
0003151435.tif 000003
【図２】
0003151435.tif 000004
【図３】
0003151435.tif 000005
【図４】
0003151435.tif 000006
【手続補正書】
【提出日】平成21年4月9日(2009.4.9)
【手続補正１】
【補正対象書類名】実用新案登録請求の範囲
【補正対象項目名】請求項１
【補正方法】変更
【補正の内容】
【請求項１】
２台の大型輸送車両のうち、第１の輸送車両には、伐採された原木を油圧で伸縮動作する楔の作動によって小割する為の小割装置と、該小割された木材を送り込み、回転するカッターによって細断するオガ粉製造装置と、該オガ粉を乾燥するオガ粉乾燥装置とを搭載し、第２の輸送車両にはプラント全体の動力及び熱源を供給する為の発電装置と、乾燥したオガ粉を定量的に供給する定量供給装置を有するペレット造粒装置を搭載することにより伐採現場に容易に移動できるごとく構成したことを特徴とする移動式ペレット造粒プラント。
【手続補正２】
【補正対象書類名】明細書
【補正対象項目名】０００５
【補正方法】変更
【補正の内容】
【０００５】
本考案は、上記背景の下に成立するものであり、本考案の第１の手段は、２台の大型輸送車両のうち、第１の輸送車両には、伐採された原木を油圧で伸縮動作する楔の作動によって小割する為の小割装置と、該小割された木材を送り込み、回転するカッターによって細断するオガ粉製造装置と、該オガ粉を乾燥するオガ粉乾燥装置とを搭載し、第２の輸送車両にはプラント全体の動力及び熱源を供給する為の発電装置と、乾燥したオガ粉を定量的に供給する定量供給装置を有するペレット造粒装置などを搭載して伐採現場に容易に移動できるごとく構成したことを特徴とする移動式ペレット造粒プラントを提供するものである。
【手続補正３】
【補正対象書類名】明細書
【補正対象項目名】０００９
【補正方法】変更
【補正の内容】
【０００９】
本考案の構成は、２台の大型輸送車両のうち、第１の輸送車両には、伐採された原木を油圧で伸縮動作する楔の作動によって小割する為の小割装置と、該小割された木材を送り込み、回転するカッターによって細断するオガ粉製造装置と、該オガ粉を乾燥するオガ粉乾燥装置とを搭載し、第２の輸送車両にはプラント全体の動力及び熱源を供給する為の発電装置と、乾燥したオガ粉を定量的に供給する定量供給装置を有するペレット造粒装置などを搭載して伐採現場に容易に移動できるごとく構成したことを特徴とする移動式ペレット造粒プラントである。
【手続補正４】
【補正対象書類名】明細書
【補正対象項目名】００１３
【補正方法】変更
【補正の内容】
【００１３】
図１、図２及び図３において、第１の輸送車両１には、伐採された原木を油圧で伸縮動作する楔の作動によって小割する為の小割装置２と、該小割された木材を送り込み、回転するカッターによって細断するオガ粉製造装置３と、該オガ粉を乾燥するオガ粉乾燥装置４とを搭載し、第２の輸送車両５にはプラント全体の動力及び熱源を供給する為の発電装置６と、乾燥したオガ粉を定量的に供給する定量供給装置７を有するペレット造粒装置８などを搭載して伐採現場に容易に移動できるごとく構成したことを特徴とする移動式ペレット造粒プラントである。原木は１ｍ程度の長さに切断された丸太状のものであり、これを小割装置２によって２０ｃｍ程度の太さに割る。  オガ粉製造装置３の送り込み装置はスプロケット状の搬送機能によって小割装置によって小割された木材を回転するカッターに押し当てて１ｍｍ程度の大きさのオガ粉状に粉砕する。  オガ粉乾燥装置は該オガ粉に含まれる水分をペレット造粒に適した１０％前後まで減少させる為の乾燥装置である。
ペレット造粒装置８は定量供給装置７によって一定量ずつ供給される該オガ粉を圧縮してペレット上に押し固める為のものである。  これらの行程には各々の機器作動させるためにモーターなどの動力用と加熱の為のエネルギーが必要となり伐採地ではこれを供給する発電装置６を必要とする。
【手続補正５】
【補正対象書類名】明細書
【補正対象項目名】００１７
【補正方法】変更
【補正の内容】
【００１７】
乾燥されたオガ粉は第２の輸送車両５に搭載された定量供給装置７を有するペレット造粒装置８によって圧縮成型されてペレットとなる。  これらの行程で使用する動力及び加熱用電源は第２の輸送車両５に搭載された発電装置６によって供給される。  該発電装置６の動力としては独自にエンジンを有するものでも、第２の輸送車両５のエンジンを使用するものでも良い。  各機器を２台の輸送車両に分割して配置することによって大きなトレーラー１台に搭載するのに比べて山間の細い道路を利用して伐採現場に容易に移動することが出来る。